(57)【要約】【課題】  高速鉄道車両の車体下部の騒音を良好に吸収することができると共に、薄型且つ軽量で低コストな、高速鉄道車両用騒音吸収パネルの提供する。【解決手段】  高速鉄道車両用騒音吸収パネル４に、短繊維をマット状に形成した多孔質吸音材５と、多孔質吸音材５の一方の面に接着されるハニカムコア６と、ハニカムコア６の各セル内に充填され、発泡樹脂からなる充填材７と、ハニカムコア６の多孔質吸音材５を接着した側とは反対側に接着される板材８とを具備させて、多孔質吸音材５側を表側にして高速鉄道車両１の車体下部２に装着する。【選択図】        図１
2005247235.tif 000002
【特許請求の範囲】
【請求項１】
短繊維をマット状に形成した多孔質吸音材と、
該多孔質吸音材の一方の面に接着されるハニカムコアと、
該ハニカムコアの各セル内に充填され、発泡樹脂からなる充填材と、
前記ハニカムコアの前記多孔質吸音材を接着した側とは反対側に接着される板材と
を具備し、
前記多孔質吸音材側を表側にして高速鉄道車両の車体下部に装着することを特徴とする高速鉄道車両用騒音吸収パネル。
【請求項２】
前記ハニカムコアのリボン方向を、前記高速鉄道車両における車体下部カバーの曲面に沿った周方向に対して略直角方向に向けて配置し、前記車体下部カバーの曲面に略沿うように曲げることを特徴とする請求項１に記載の高速鉄道車両用騒音吸収パネル。
【請求項３】
前記板材は、前記高速鉄道車両における車体下部カバーのカバー本体であることを特徴とする請求項１または請求項２に記載の高速鉄道車両用騒音吸収パネル。
【請求項４】
前記高速鉄道車両における車体下部カバーのカバー本体に装着されることを特徴とする請求項１または請求項２に記載の高速鉄道車両用騒音吸収パネル。
【請求項５】
前記板材または前記多孔質吸音材の何れか一方の側から他方の側に向けて所定深さのスリットを複数さらに備え、
前記高速鉄道車両における車体下部のカバー本体の曲面に略沿うように折り曲げることを特徴とする請求項４に記載の高速鉄道車両用騒音吸収パネル。
【請求項６】
前記ハニカムコアは、セラミック繊維よりなり、不燃性樹脂が含浸されていることを特徴とする請求項１から請求項５までの何れか一つに記載の高速鉄道車両用騒音吸収パネル。
【発明の詳細な説明】
【技術分野】
【０００１】
本発明は、高速鉄道車両用の騒音吸収パネルに関するものであり、特に、高速鉄道車両の車体下部の騒音を吸収するのに好適な高速鉄道車両用騒音吸収パネルに関するものである。
【背景技術】
【０００２】
従来より、新幹線などの高速鉄道車両においては、種々の騒音対策を施すことにより、その騒音レベルが所定の騒音環境規制値を下回るようにしている。鉄道車両の走行に伴って発生する騒音は、図７（Ａ）に示すように、車輪１０１とレール１０２との接触音や車輪１０１の駆動音など台車１０３周りからの騒音、パンタグラフ１０４の風切り音やパンタグラフ１０４と架線１０５との接触音などパンタグラフ１０４周りからの騒音、車体１０６と空気との摩擦による空力音などの車体１０６周りからの騒音など三つに大別することができる。
【０００３】
車体１０６周りの騒音を低減させるものとして、図７（Ｂ）に示すような構造の吸音パネル１０７が知られている。この吸音パネル１０７は、車体１０６側に取り付けられるベース部材１０８と、断面コ字形状の支持部材１０９と、支持部材１０９によりベース部材１０８から所定距離離間した位置に配置され、発泡アルミなどの多孔質素材からなる吸音材１１０と、吸音材１１０の表側に配置され、吸音材１１０を支持部材１０９に固定する帯板１１１とで構成されている。
【０００４】
この吸音パネル１０７には、吸音材１１０の裏側に、ベース部材１０８と支持部材１０９とにより空洞部１１２が形成されており、この空洞部１１２により共振させることで騒音を低減させることができ、吸音材１１０と共に作用させることで騒音を吸収するようになっている。なお、この吸音パネル１０７の表側にさらにパンチングメタルと布を配置して、空力音をさらに低減させるものも提案されている。
【０００５】
また、台車１０３や鉄道車両１００の床下機器から発生する騒音に対しては、図７（Ａ）に示すように、防音壁１１３などを設けることで対応していた。
【０００６】
出願人は、本願出願時において、以上の技術情報が記載されている文献として、以下のものを知見している。
【特許文献１】特開２００２−６７９４１号
【発明の開示】
【発明が解決しようとする課題】
【０００７】
ところで、今後、高速鉄道車両のより高速化が予想され、例えば、現在、最高営業速度が２７５ｋｍ／ｈであるのに対し、これが３６０ｋｍ／ｈとなった場合、騒音は速度の二乗に略比例することから、その騒音は現行のおよそ７０％以上増大する恐れがあるが、パンタグラフ１０４周りや、車体１０６周りの騒音については、現行の技術によりある程度対応することが可能であるのに対して、車体１０６下部の台車１０３周りや図示しない床下機器などから発生する騒音については、防音壁１１３だけでは不十分であり、鉄道車両１００側でも騒音対策をする必要がある。
【０００８】
そこで、車体１０６の吸音パネル１０７を用いて、車体１０６の下部全面を覆うことで、台車１０３周りや床下機器などからの騒音を低減することが考えられるが、従来の吸音パネル１０７は、図２のグラフに示すように、その空洞部１１２の厚さＴ（図７（Ｂ）参照）と吸音率との間には相関関係があり、空洞部１１２の厚さＴが厚くなるほど吸音率が向上すると供に、その吸音率のピーク値が低周波数側、すなわち、台車周りなどの騒音の大きい周波数側へシフトするという特性を有しており、吸音パネル１０７の厚さを厚くする必要があるが、厚さを厚くすると床下機器の収容空間が狭くなり、床下機器を収容できない恐れがある。因みに、二点鎖線はＴ＝２０ｍｍ、破線はＴ＝４５ｍｍ、一点鎖線はＴ＝５０ｍｍである。
【０００９】
また、従来の吸音パネル１０７では、空洞部１１２の共振により騒音を吸収しており、そのため、図２に示すように、特定の周波数において吸音性能を発揮するものであり、吸収できる騒音の周波数帯域が狭く、例えば、５００Ｈｚ〜２０００Ｈｚといった広い周波数帯域において吸音特性を発揮することができなかった。
【００１０】
さらに、従来の吸音パネル１０７において、その表面の吸音材１１０は、構造的には弱く、高速鉄道車両がトンネルに出入りする際に、およそ２００Ｐａの気圧変動が発生し、その気圧変動により吸音材１１０が大きく変形するため、支持部材１０９の間隔を狭くすると共に数を増やすことで吸音材１１０の変形を防ぐようにすることが考えられるが、吸音材１１０は、支持部材１０９のフランジ部分と帯板１１１とで取り付けられており、この取り付け部分では吸音効果が望めず、支持部材１０９を増やすと吸音効果を発揮しない部分が増えることとなり、所望の吸音性能を得られなくなるという問題がある。加えて、帯板１１１は吸音材１１０の表面から突出しており、この帯板１１１が空力音の発生源となっている。
【００１１】
また、吸音パネル１０７の支持部材１０９を増やすことにより、吸音パネル１０７の重量が増大し、吸音パネル１０７の取り扱いが煩雑になると共に、その製造に係るコストが大幅に増加する問題がある。
【００１２】
そこで、本発明は、上記の実情に鑑み、高速鉄道車両の車体下部の騒音を良好に吸収することができると共に、薄型且つ軽量で低コストな、高速鉄道車両用騒音吸収パネルの提供を課題とするものである。
【課題を解決するための手段】
【００１３】
本発明に係る高速鉄道車両用騒音吸収パネルは、「短繊維をマット状に形成した多孔質吸音材と、該多孔質吸音材の一方の面に接着されるハニカムコアと、該ハニカムコアの各セル内に充填され、発泡樹脂からなる充填材と、前記ハニカムコアの前記多孔質吸音材を接着した側とは反対側に接着される板材とを具備し、前記多孔質吸音材側を表側にして高速鉄道車両の車体下部に装着する」構成とするものである。ここで、短繊維としては、具体的な構成を何ら限定するものではないが、軽量且つ難燃または不燃性の金属または非金属を短繊維状に形成したものを用いることができる。
【００１４】
ここで、車体下部に装着するとは、高速鉄道車両用騒音吸収パネル（以下、単に騒音吸収パネルとも称す）を車体下部に設けられた車体下部カバーやそのカバー本体などに取り付けることで装着するものや、高速鉄道車両用騒音吸収パネルを車体下部カバーの構成部品の一つとすることで装着するものなどを例示できる。
【００１５】
本発明の高速鉄道車両用騒音吸収パネルによると、多孔質吸音材と板材とをハニカムコアにより接着結合し、ハニカムコアの各セル内に充填材を充填したものであり、これにより、騒音吸収パネルをハニカム構造とすることで、その剛性と強度を高めることができ、高速鉄道車両がトンネルなどに出入りする際の気圧変動などにより騒音吸収パネルが破損するのを防止することが可能となる。
【００１６】
また、多孔質吸音材をハニカムコアと接着結合しているので、従来のコ字形状の支持部材１０９のフランジ部と比較してその接着部分は極めて細く、多孔質吸音材の吸音面積の減少が数％以下となり、多孔質吸音材の吸音特性を十分に発揮させることができると共に、高速鉄道車両用騒音吸収パネルを軽量で低コストなものとすることが可能となる。
【００１７】
さらに、ハニカム構造により剛性と強度が高められているので、ハニカムコアの各セル内に吸音特性に優れた発泡樹脂からなる充填材を充填することで、多孔質吸音材と強度の低い充填材とを組み合わせることが可能となり、それらの組み合わせにより優れた吸音特性を発揮することができる。また、従来のように空洞部の共振作用により吸音特性を発揮させる場合に比べて、より広い範囲の周波数帯域において吸音特性を発揮することが可能となると共に、騒音吸収パネルの厚さを薄くすることが可能となり、車体下部に用いても、床下機器などの収容空間を十分に確保することができる。
【００１８】
また、多孔質吸音材をハニカムコアと接着結合しているので、従来のように、帯板などがその表面から突出することがなく、帯板などによる空力音が発生することがない。
【００１９】
本発明に係る高速鉄道車両用騒音吸収パネルは、上記の構成に加えて、「前記ハニカムコアのリボン方向を、前記高速鉄道車両における車体下部カバーの曲面に沿った周方向に対して略直角方向に向けて配置し、前記車体下部カバーの曲面に略沿うように曲げる」構成とすることもできる。
【００２０】
ここで、ハニカムコアのリボン方向とは、ハニカムコアは、所定間隔で互い違いに折り曲げ成形した帯材を重ね、互いに対向し且つ接触する辺同士を接合することで、六角形状のセルを形成したものや、重ねられた帯材を所定間隔ごとに接合すると共に、さらに重ねられる帯材は下側の接合部と接合部との間で接合し、それら帯材を順次重ねて接合したものを重ねた方向に展張することで、六角形状のセルを形成するものなどがあり、帯材同士が接着されて形成された辺が延びる方向をリボン方向という（図１（Ｂ）参照）。そして、ハニカムコアを構成する帯材同士が接合された辺は、他の辺と比較して剛性が高くなっており、その辺が延びる方向、すなわち、リボン方向に沿って曲げる場合と、リボン方向に対して直角方向に沿って曲げる場合とでは、前者のほうが後者に比べて２〜３倍も曲げ難くなっているのものである。
【００２１】
本発明の高速鉄道車両用騒音吸収パネルによると、ハニカムコアのリボン方向が、車体下部カバーの曲面に沿った周方向に対して略直角方向に向けて配置されており、リボン方向に対してその直角方向に沿って曲げるのは曲げ易いので、容易に車体下部カバーの曲面に沿うように曲げることが可能となり、車体下部カバーの曲面に沿った高速鉄道車両用騒音吸収パネルを得ることができる。
【００２２】
本発明に係る高速鉄道車両用騒音吸収パネルは、上記の構成に加えて、「前記板材は、前記高速鉄道車両における車体下部のカバー本体である」構成とすることもできる。ここで、車体下部のカバー本体としては、具体的な構成を何ら限定するものではないが、アルミ合金製の押し出し型材や、炭素繊維を強化繊維とした複合材などからなるものを例示することができる。
【００２３】
本発明の高速鉄道車両用騒音吸収パネルによると、板材を車体下部のカバー本体としたことにより、車体下部カバー自体を騒音吸収パネルとすることができ、別途板材を備える必要がなく、部品点数を少なくすることができると共に、軽量化することができる。
【００２４】
本発明に係る高速鉄道車両用騒音吸収パネルは、上記の構成に加えて、「前記高速鉄道車両における車体下部カバーのカバー本体に装着される」構成とすることもできる。
【００２５】
本発明の高速鉄道車両用騒音吸収パネルによると、騒音吸収パネルと車体下部カバーのカバー本体とを別体とすることで、小石など異物が衝突して騒音吸収パネルが破損した場合に、破損した騒音パネルのみを交換すればよく、修理にかかるコストを抑制することができる。なお、カバー本体に、騒音吸収パネルを収容可能な凹部を形成しておき、その凹部内に騒音吸収パネルを収容・装着するようにしてもよい。
【００２６】
また、騒音吸収パネルを容易に曲げることのできるものとした場合、車種などに応じて車体下部カバーの曲面形状が変化しても、平板状に形成した騒音吸収パネルを用いて対応させることができるので、種々の曲面形状を備えた騒音吸収パネルを予め用意する必要がなく、騒音吸収パネルの製造にかかるコストを低減させることができる。
【００２７】
本発明に係る高速鉄道車両用騒音吸収パネルは、上記の構成に加えて、「前記板材または前記多孔質吸音材の何れか一方の側から他方の側に向けて所定深さのスリットを複数さらに備え、前記高速鉄道車両における車体下部のカバー本体の曲面に略沿うように折り曲げる」構成とすることもできる。
【００２８】
ところで、従来の吸音パネル１０７に、所定間隔のスリットを備えることで車体下部カバーの曲面に沿うように折り曲げることが考えられるが、従来の吸音パネル１０７は、空洞部１１２の共振により吸音特性を得るようにしているため、空洞部１１２にスリットが入るとその部分の吸音特性が著しく低下する問題があり、スリットを備えることができなかった。
【００２９】
本発明の高速鉄道車両用騒音吸収パネルによると、騒音吸収パネルに複数のスリットを形成することで折り曲げ可能とし、車体下部カバー本体の曲面に沿うように折り曲げた上で、車体下部のカバー本体に装着するもので、これにより、騒音吸収パネルを平板状に形成したものを用いることが可能となり、騒音吸収パネルの製造にかかるコストを低く抑えることができる。
【００３０】
また、スリットを備えることで、ハニカムコアのリボン方向を所定方向としてその直角方向に沿って曲げ易くする上述の構成のみでは対応しきれないような曲率の小さい曲面形状にも対応することが可能となる。なお、スリットを備える構成と、ハニカムコアのリボン方向を所定方向に向ける構成とを組み合わせることで、高速鉄道車両用騒音吸収パネルを滑らかに曲げることが可能となる他、三次元曲面形状にも容易に曲げることができる。
【００３１】
また、本発明の騒音吸収パネルは、多孔質吸音材と発泡樹脂からなる充填材により吸音特性を発揮するものであるので、従来の吸音パネル１０７のようにスリットを備えることで吸音特性が著しく低下することがなく、スリットを備えてもその優れた吸音特性を維持することができ、曲面形状の車体下部カバーに好適に用いることができる。
【００３２】
なお、スリットは、騒音吸収パネルの製造段階において、予めスリットを備えるように製造しても良いし、騒音吸収パネルの製造後に、ダイヤモンドカッターなどを用いてスリットを備えるようにしても良く、ダイヤモンドカッターなどを用いてスリットを備えるようにすることで、スリットの間隔などを容易に変更することが可能となると共に、スリットを容易に備えることができる。
【００３３】
本発明に係る高速鉄道車両用騒音吸収パネルは、上記の構成に加えて、「前記ハニカムコアは、セラミック繊維よりなり、不燃性樹脂が含浸されている」構成とすることもできる。
【００３４】
本発明の高速鉄道車両用騒音吸収パネルによると、ハニカムコアをセラミック繊維により形成すると共に、不燃性樹脂を含浸させており、騒音吸収パネルの難燃性を高めることができると共に、セラミック繊維に水分などが吸収されるのを防止し、重量が増加したり、吸収された水分が凍結することにより騒音吸収パネルに不具合が発生するのを防ぐことが可能となる。
【発明の効果】
【００３５】
上記のように本発明によると、高速鉄道車両の車体下部の騒音を良好に吸収することができると共に、薄型且つ軽量で低コストな、高速鉄道車両用騒音吸収パネルを提供することができる。
【発明を実施するための最良の形態】
【００３６】
以下、本発明を実施するための最良の形態である高速鉄道車両用騒音吸収パネルについて、図１乃至図５に基づき説明する。図１（Ａ）は本発明の高速鉄道車両用騒音吸収パネルを車体下部に装着した状態で示す概略断面図であり、（Ｂ）は騒音吸収パネルの拡大断面図であり、（Ｃ）は騒音吸収パネルの一部を切り欠いて示す拡大正面図である。図２は本発明の高速鉄道車両用騒音吸収パネルの周波数と吸音率との関係を従来のものと比較して示すグラフであり、図３は車体下部カバーの下側カバーに装着された高速鉄道車両用騒音吸収パネルをその断面と共に示す斜視図であり、図４は車体下部カバーの側面カバーに装着された高速鉄道車両用騒音吸収パネルをその断面と共に示す斜視図であり、図５は図４の高速鉄道車両用騒音吸収パネルを分解して示す斜視図である。
【００３７】
本実施形態の高速鉄道車両用騒音吸収パネルは、図１（Ａ）に示すように、高速鉄道車両１の車体下部２に主に用いられるものであり、車体下部２の左右両側および床下機器３の下側を覆うように装着され、床下機器３や台車周りからの騒音を吸収するものである。
【００３８】
本実施形態の騒音吸収パネル４は、平板状に形成されたものであり、図１（Ｂ）にその断面を拡大して示すように、短繊維をマット状に形成した多孔質吸音材５と、多孔質吸音材５の一方の面に接着結合され、セラミック繊維からなり不燃性樹脂を含浸させたハニカムコア６と、ハニカムコア６の各セル内部に充填された発泡樹脂からなる充填材７と、ハニカムコア６の多孔質吸音材５とは反対側の面に接着結合される板材８とから構成されている。
【００３９】
多孔質吸音材５は、本例ではアルミの短繊維をマット状に形成したものであり、この多孔質吸音材５のみでも、ある程度の吸音特性を備えているものである。また、ハニカムコア６は、本例ではセラミック繊維に不燃性樹脂としてフェノール樹脂を含浸させたものであり、難燃性を高めると共に、セラミック繊維の吸湿作用を抑制しハニカムコア６に水分が吸収されて重量の増加や、低温時にその水分が凍結することで不具合が発生するのを防止するものである。
【００４０】
このハニカムコア６は、図１（Ｃ）に示すように、六角形状の複数のセルを備えており、本例では図中左右方向がリボン方向とされている。つまり、ハニカムコア６を構成する帯材により形成される辺のうち、図中左右方向に延びる辺同士が互いに接着されており、この辺は他の辺と比較してその剛性が高いものとなっているため、リボン方向に対してその直角方向に沿う方向には曲げ易くなっている。
【００４１】
充填材７は、本例ではフェノール樹脂など不燃性樹脂を所定の倍率で発泡させたものであり、その内部は連立気泡、すなわち、気泡により形成された空間が独立することなく互いに連通した状態となっており、入射された騒音が散乱・乱反射して、そのエネルギーを減衰させることで、効率よく吸収することができるものである。また、板材８は、アルミ合金などの強度のある部材からなっている。
【００４２】
なお、本例の騒音吸収パネル４は、上記の構成により、その厚さがおよそ３０ｍｍであり、その強度がおよそ１０ＭＮ／ｍ２である。
【００４３】
次に、図２は、本実施形態の高速鉄道車両１の騒音吸収パネル４における周波数と吸音率との関係を示すグラフである。本例の騒音吸収パネル４の吸音率は実線で示すように、多孔質吸音材５側から入射された騒音に対して、広い周波数帯域において高い吸音率を示していることが判る。特に５００〜４０００Ｈｚの間の周波数帯域において、０．７以上の高い吸音率を示している。これは、まず多孔質吸音材５においてある程度の騒音が吸収された上で、ハニカムコア６の各セル内の発泡樹脂からなる充填材７にさらに吸収され、それらの相乗効果により広い周波数帯域において高い吸音率を発揮しているものと思われる。一方、同図に合わせて示す従来の吸音パネルでは、高い吸音率を示す周波数帯域が狭く、その厚さＴが４５ｍｍ以上であっても、特定の狭い範囲内でしかその能力を発揮しておらず、その厚さも含めて本発明品がいかに優れているかが判る。
【００４４】
続いて、本実施形態の騒音吸収パネル４を車体下部２に装着する方法について図面を基に説明する。図１（Ａ）に示すように、高速鉄道車両１の車体下部２には、床下機器３や図示しない台車などを覆う車体下部カバー９が備えられている。この車体下部カバー９は、床下機器３の下側に配置される下面カバー１０と、側面に配置される側面カバー１１とから構成されており、それら下面カバー１０および側面カバー１１は、所定の大きさに分割された上で、高速鉄道車両１の車体下部２に取り付けられている。
【００４５】
車体下部カバー９の下面カバー１０は、図３に詳しく示すように、一方に断面コ字形状の嵌入部１２を備えた装着金具１３を枠状に形成した下面カバー本体１４と、下面カバー本体１４の嵌入部１２に外周を嵌入装着される平板状の騒音吸収パネル４とから構成されており、騒音吸収パネル４は、その多孔質吸音材５が下側を向くように下面カバー本体１４に装着されている。
【００４６】
下面カバー本体１４の外周には、その面方向に延出し高速鉄道車両１に取り付けるためのフランジ部１５が備えられている。本例では、車両の幅方向に対して下面カバー１０が三つ配置されており、下面カバー１０同士の接続部分にあってはフレーム１６に、下面カバー１０と後述の側面カバー１１との接続部分にあってはフレーム１７に、夫々下面カバー本体１４のフランジ部１５を介してボルトなどの図示しない取付具により取り付けられている。
【００４７】
一方、車体下部カバー９の側面カバー１１は、図４および図５に詳しく示すように、所定の曲面形状に形成され、騒音吸収パネル４を収容可能な凹部１８を備えた側面カバー本体１９と、板材８側から所定深さのスリット２０が複数備えられ側面カバー本体１９の曲面形状に沿って折り曲げられた騒音吸収パネル４とから構成され、騒音吸収パネル４は、その多孔質吸音材５が表側に露出するように側面カバー本体１９の凹部１８に収容装着されている。なお、騒音吸収パネル４は、側面カバー本体１９に、リベット、ボルト・ナット、或いは、接着剤などの結合手段により固定されている。
【００４８】
この側面カバー本体１９は、アルミ合金製の押し出し型材とされ、その凹部１８が車両の外側に開口するように備えられていると共に、凹部１８の上下にはフレーム２１およびフレーム１７に取り付けるためのフランジ部２２およびフランジ部２３が備えられている。そして、側面カバー本体１９は、そのフランジ部２２，２３を介して図示しない取付具によりフレーム２１，１７に取り付けられている。なお、上記フレーム１６，１７，２１は、高速鉄道車両１に夫々固定されている。
【００４９】
側面カバー本体１９の凹部１８に装着される騒音吸収パネル４は、当初、平板状に形成したものに、ダイヤモンドカッターなどにより、その板材８側から所定深さで、車両の前後方向に延びるスリット２０を適宜間隔で複数備えた後に、それらスリット２０を利用して側面カバー本体１９の曲面形状に略沿うように折り曲げて形成したものである。
【００５０】
また、この騒音吸収パネル４は、部分的に拡大して示すように、そのハニカムコア６のリボン方向が、側面カバー本体１９の曲面に沿った方向に対して略直角方向に向くように配置されている。換言すると、ハニカムコア６のリボン方向が、車両の前後方向と略同じ方向とされており、騒音吸収パネル４は、スリット２０以外の場所でも、側面カバー本体１９の曲面形状に略沿うように曲がっており、滑らかな曲面形状となっている。
【００５１】
また、この騒音吸収パネル４は、図示するように、その多孔質吸音材５がハニカムコア６などよりも大きく延出した延出部２４を備えており、この延出部２４により、側面カバー本体１９のフランジ部２２，２３の一部を覆うような形態となっている。これにより、側面カバー１１全体の吸音特性を高めている。
【００５２】
なお、本例の下面カバー本体１４および側面カバー本体１９は、本発明の車体下部のカバー本体に夫々相当するものである。
【００５３】
このように、本実施形態の高速鉄道車両用騒音吸収パネルによると、多孔質吸音材５と板材８とをハニカムコア６により接着結合し、ハニカムコア６の各セル内に充填材７を充填したものであり、これにより、騒音吸収パネル４をハニカム構造とすることで、その剛性と強度を高めることができ、高速鉄道車両１がトンネルなどに出入りする際の気圧変動により騒音吸収パネル４が破損するのを良好に防止することが可能となる。
【００５４】
また、多孔質吸音材５をハニカムコア６と接着結合しているので、従来のコ字形状の支持部材１０９のフランジ部と比較してその接着部分は極めて細く、多孔質吸音材５の吸音面積の減少が数％以下となり、多孔質吸音材５の吸音特性を十分に発揮させることができると共に、騒音吸収パネル４を軽量なものとすることが可能となる。これにより、高速鉄道車両１に車体下部カバー９を備えて騒音対策を施しても、高速鉄道車両１の重量の増加を最小限に抑えることが可能となると供に、低コストで実現することができる。
【００５５】
さらに、ハニカム構造により剛性と強度が高められているので、ハニカムコア６の各セル内に吸音特性に優れた発泡樹脂からなり強度の低い充填材７を充填することで、それらを組み合わせることが可能となり、より優れた吸音特性を発揮することができる。また、従来のように空洞部１１２の共振作用により吸音特性を発揮させる場合に比べて、より広い範囲の周波数帯域において吸音特性を発揮することが可能となると共に、騒音吸収パネル４の厚さを薄くすることが可能となり、車体下部２に用いても、床下機器３などの収容空間を十分に確保することができる。
【００５６】
また、多孔質吸音材５をハニカムコア６と接着結合しているので、従来のように、帯板１１１などがその表面から突出することがなく、帯板１１１などによる空力音が発生することがない。なお、多孔質吸音材５は、塗装することも可能であり、これにより、意匠性を高めることができる。
【００５７】
さらに、ハニカムコア６のリボン方向が、車体下部カバー９の側面カバー本体１９の曲面に沿った周方向に対して略直角方向に向けて配置されているので、容易に側面カバー本体１９の曲面に沿うように曲げることが可能となると共に、さらに、複数のスリット２０が備えられているので、曲率の小さい曲面に対しても対応させることができるので、平板状に形成した騒音吸収パネル４を用いることが可能となり、騒音吸収パネル４の製造にかかるコストを低く抑えることができる。
【００５８】
また、騒音吸収パネル４と、下面カバー本体１４や側面カバー本体１９とを別体としているので、小石など異物が衝突して騒音吸収パネル４が破損した場合でも、破損した騒音パネル４のみを交換すればよく、修理にかかるコストを抑制することができる。
【００５９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００６０】
すなわち、本実施形態の高速鉄道車両１用の騒音吸収パネル４では、車体下部カバー９のカバー本体、すなわち、下面カバー本体１４および側面カバー本体１９と、騒音吸収パネル４とが別体となったものを示したが、これに限定するものではなく、騒音吸収パネル４の板材８を車体下部カバー９のカバー本体としたものでも良い。例えば、図６に示す側面カバー２５は、騒音吸収パネル２６の板材をカバー本体としての側面カバー本体２７としたものであり、なお、上記の実施形態と同じ構成のものについては、同一の符号を付し、説明は省略する。この側面カバー２５でも、上記と同様の効果を奏することができる他に、側面カバー２５自体を騒音吸収パネル２６としているので、別途板材を備える必要がなく、部品点数を少なくすることができると共に、より軽量化することができる。
【００６１】
また、本実施形態の高速鉄道車両１用の騒音吸収パネル４では、ハニカムコア６のリボン方向を車体下部カバー９における側面カバー本体１９の曲面に沿った周方向に対して略直角方向に向けて配置すると共に、所定深さのスリット２０を複数備えたものを示したが、これに限定するものではなく、ハニカムコア６のリボン方向の向き、および、スリット２０の何れかの構成のみのものとすることもできる。例えば、ハニカムコア６のリボン方向の向きのみの構成とした場合、騒音吸収パネル４にスリット２０を備える必要がないので、騒音吸収パネル４のコストを抑えることができると共に、スリット２０を備えていないので吸音特性が高く維持することができる。
【００６２】
さらに、本実施形態の高速鉄道車両１用の騒音吸収パネル４では、ハニカムコア６のリボン方向を車体下部カバー９における側面カバー本体１９の曲面に沿った周方向に対して略直角方向、すなわち、車両の前後方向に向けて配置すると共に、所定深さのスリット２０を車両の前後方向に延びるように備えたものを示したが、これに限定するものではなく、ハニカムコア６のリボン方向と、スリット２０の延びる方向とを互いに直交するように備えても良い。これにより、騒音吸収パネル４を三次元曲面形状に容易に曲げることが可能となり、例えば、台車カバーや車両の先頭部分など、三次元曲面形状となった部分にも適用することが可能となり、高速鉄道車両１の騒音をさらに低減することができる。
【図面の簡単な説明】
【００６３】
【図１】（Ａ）は本発明の高速鉄道車両用騒音吸収パネルを車体下部に装着した状態で示す概略断面図であり、（Ｂ）は騒音吸収パネルの拡大断面図であり、（Ｃ）は騒音吸収パネルの一部を切り欠いて示す拡大正面図である。
【図２】本発明の高速鉄道車両用騒音吸収パネルの周波数と吸音率との関係を従来のものと比較して示すグラフである。
【図３】車体下部カバーの下側カバーに装着された高速鉄道車両用騒音吸収パネルをその断面と共に示す斜視図である。
【図４】車体下部カバーの側面カバーに装着された高速鉄道車両用騒音吸収パネルをその断面と共に示す斜視図である。
【図５】図４の高速鉄道車両用騒音吸収パネルを分解して示す斜視図である。
【図６】図４とは異なる形態の側面カバーを示す断面図である。
【図７】（Ａ）は従来の鉄道車両における騒音の問題点を示す説明図であり、（Ｂ）は従来の吸音パネルを示す断面図である。
【符号の説明】
【００６４】
１  高速鉄道車両
２  車体下部
４  騒音吸収パネル
５  多孔質吸音材
６  ハニカムコア
７  充填材
８  板材
９  車体下部カバー
１４  下面カバー本体（カバー本体）
１９  側面カバー本体（カバー本体）
２０  スリット
２５  側面カバー
２６  騒音吸収パネル
２７  側面カバー本体（カバー本体）
【図１】
2005247235.tif 000003
【図２】
2005247235.tif 000004
【図３】
2005247235.tif 000005
【図４】
2005247235.tif 000006
【図５】
2005247235.tif 000007
【図６】
2005247235.tif 000008
【図７】
2005247235.tif 000009